(57)【特許請求の範囲】
【請求項１】
羽根板を回動可能に支持するルーバー枠に設けられる長尺のカバー材を設けたルーバーであって、
前記ルーバー枠の見込面を覆うための見込面部と、
前記見込面部の見込方向の一方の端部に配置される遮蔽部と、
前記見込面部の見込方向の他方の端部に配置される開放見切り部と、
を有し、
前記遮蔽部と前記羽根板は、前記羽根板の長手方向において、重なり代を有し、
前記開放見切り部と前記羽根板は、前記羽根板の長手方向において、重なり代を有さず、
前記見込面部の両端部には、前記ルーバー枠の外側に形成される見付面を両側から挟みこんで、前記ルーバー枠に嵌着させるための一対の嵌着片部が設けられ、
前記見込面部、前記遮蔽部、前記嵌着片部は一体的に形成される、
ルーバー。
【請求項２】
前記羽根板が閉じたときと開いたときのいずれにおいても、前記カバー材と前記羽根板の間には隙間が確保され、前記カバー材によって前記羽根板の回動が規制されない構成とする、
ことを特徴とする請求項１に記載のルーバー。
【請求項３】
請求項１又は請求項２に記載のルーバーを備える戸体。
【発明の詳細な説明】
【技術分野】
【０００１】
本発明は、複数の羽根板を有して構成されるルーバー及びルーバーを備えた建具に関する。
【背景技術】
【０００２】
従来、住宅などの建物に設置される建具において、上下方向に複数の羽根板を配置し、各羽根板を連動して回転させることで換気や採光調整を行う構成とするルーバーが知られており、これについて開示する文献も存在する（例えば、特許文献１参照。）。
【０００３】
特許文献１にも開示されるように、ルーバーの各羽根板はルーバー枠に回動可能に設けられており、各羽根板の板面が急傾斜を構成するように傾けることで、各羽根板によるルーバーの開口部の閉鎖がなされるようになっている。
【先行技術文献】
【特許文献】
【０００４】
【特許文献１】特許第４４１０３７３号明細書
【発明の概要】
【発明が解決しようとする課題】
【０００５】
換気や温度調節によるより快適な室内環境の実現、通風によるエアコン消費電力の低減、採光による照明消費電力の低減、といった要望が近年高まりつつあり、これらの要望への対応の可能性を持ったルーバーについては、構造や機能の革新や改善、安全性能の向上、より多様な設置形態の実現、といった多くの要望が存在する。
【０００６】
このようなルーバーにおいて、例えば、引き戸などの室内建具での適用を考えた場合に、ルーバーを完全に閉じることにより、引き戸で仕切られる二つの空間において光の通過を遮ることが必要となる状況が想定される。
【０００７】
例えば、夜間において、引き戸で仕切る一方の部屋が寝室である場合に、他方の部屋の明かりが寝室に漏れないようにする、つまりは、明かり漏れを防ぐ必要が生じる場合が想定される。
【０００８】
この点に関し、特許文献１にも開示されるように、羽根板とルーバー枠の側面の間には、羽根板のスムーズな回動を可能とするための隙間を確保する必要があり、この隙間から明かり漏れが生じることが懸念される。
【０００９】
他方、別の課題として、例えば、明かり漏れを防ぐための部材を、単純にルーバー枠から羽根板に向けて突出する目隠し材のような部位をルーバー枠に設けるだけでは、羽根板の設置や取り外しの容易性を損なうことが懸念される。つまり、羽根板の設置の容易性や、取り外しの容易性が確保された構造とする必要がある。
【００１０】
そこで、本発明は、以上の問題に鑑み、羽根板とルーバー枠との間の隙間の存在に起因する明かり漏れの問題を解決可能とする新規な構造のルーバーについて提案するものである。
【課題を解決するための手段】
【００１１】
本発明の解決しようとする課題は以上の如くであり、次にこの課題を解決するための手段を説明する。
【００１２】
即ち、請求項１に記載のごとく、
羽根板を回動可能に支持するルーバー枠に設けられる長尺のカバー材を設けたルーバーであって、
前記ルーバー枠の見込面を覆うための見込面部と、
前記見込面部の見込方向の一方の端部に配置される遮蔽部と、
前記見込面部の見込方向の他方の端部に配置される開放見切り部と、
を有し、
前記遮蔽部と前記羽根板は、前記羽根板の長手方向において、重なり代を有し、
前記開放見切り部と前記羽根板は、前記羽根板の長手方向において、重なり代を有さず、
前記見込面部の両端部には、前記ルーバー枠の外側に形成される見付面を両側から挟みこんで、前記ルーバー枠に嵌着させるための一対の嵌着片部が設けられ、
前記見込面部、前記遮蔽部、前記嵌着片部は一体的に形成される、
ルーバーとする。
【００１４】
また、請求項２に記載のごとく、
羽根板が閉じたときと開いたときのいずれにおいても、カバー材と羽根板の間には隙間が確保され、カバー材によって羽根板の回動が規制されない構成とする。より具体的には、羽根板を開いた際に、カバー材の遮蔽部と羽根板の間に隙間が確保されることとする。
【００１７】
また、請求項３に記載のごとく、
請求項１又は請求項２に記載のルーバーを備える戸体とする。
【発明の効果】
【００１８】
請求項１に記載の発明によれば、
遮蔽部により、ルーバーで仕切られる二つの空間の間において、ルーバー枠と羽根板の間の隙間からの明かり漏れを防止できる。また、開放見切り部を通じて羽根板の取り外し、設置を容易に行うことができる。また、ルーバー枠に対してカバー材を容易に取り付けることができる。また、特に、ルーバー枠縦框が木材で構成される場合には、カバー材をアルミニウム押出成形部材などの金属部材で構成することで、縦框の見付面の見切り部分が膨らむことや、ゆがんでしまう不具合が、嵌着片部による見付面の挟み込みにより防がれる。
【００２０】
また、請求項２に記載の発明によれば、
カバー材によって羽根板の回動が規制されず、カバー材の設置によりルーバーの操作性が損なわれることを防ぐことができる。
【００２３】
また、請求項３に記載の発明によれば、遮蔽部により、ルーバーで仕切られる二つの空間の間において、ルーバー枠と羽根板の間の隙間からの明かり漏れを防止できる。また、開放見切り部を通じて羽根板の取り外し、設置を容易に行うことができる。
【図面の簡単な説明】
【００２４】
【図１】ルーバーを備える戸体の一実施例について示す図である。
【図２】図１のＡ−Ａ線水平断面図である。
【図３】縦框に設けられるカバー材について示す断面図である。
【図４】カバー材について示す斜視図である。
【図５】カバー材の他の実施例について示す断面図である。
【図６】（Ａ）は上下に長い一本の見付面部材を設ける実施形態について示す図である。（Ｂ）は上下のルーバーについてそれぞれ見付面部材を設ける実施形態について示す図である。
【発明を実施するための形態】
【００２５】
次に、発明の実施の形態について図面を用いて説明する。
図１は、本発明の一実施形態にかかるルーバー１を備えた戸体３の正面図である。戸体３は、左右の縦框３１，３２と、上桟３３と、下桟３４と、左右の縦框３１，３２の間に掛け渡される中桟３５を有し、中桟３５の上下に形成される開口部により、それぞれルーバー１，１を設置するためのルーバー開口部３６，３７が形成される。
【００２６】
ルーバー１は、角度が変更可能な複数の羽根板９，９を有し、換気や採光調整などが行える構成とするものである。
【００２７】
また、四角枠状のルーバー開口部３６，３７を形成する枠材のうち、左右の縦框３１，３２は、複数の羽根板９，９を回動可能に支持するルーバー枠として機能するものである。なお、このルーバー枠は、ルーバー１を構成する要素、或いは、戸体３を構成する要素としても捉えられる。
【００２８】
また、戸体３は、当該戸体３によって二つの空間を仕切ることを目的とするものである。図１の実施形態では、二つの戸体３，３が引き違い可能に設置され、両引き戸の形態にて実施がされる。このほか、一つの戸体３を戸袋に収容する片引き戸の形態にて実施することも考えられる。
【００２９】
図２は、図１のＡ−Ａ線水平断面図である。図２において左側の縦框３１に設けた縦溝部３１ａには支持機構８が収容され、右側の縦框３２に設けた縦溝部３２ａには連動機構７が収容される。連動機構７と支持機構８の間には羽根板９が掛け渡される。
【００３０】
図３は、縦框３１に設けられるカバー材４０について示す断面図、図４は、カバー材４０について示す斜視図である。
【００３１】
戸体３の縦框３１には略コ字状の縦溝部３１ａが形設されており、縦溝部３１ａに支持機構８が納められる。
【００３２】
そして、縦框３１の見込面３１ｂ、及び、支持機構８の見込面８ｂを上から覆うようにして、カバー材４０が設置される。カバー材４０は、縦框３１の見込面３１ｂと平行な板面を構成する見込面部４１ａを有する長尺の板状部材にて構成される。
【００３３】
見込面部４１ａには、支持機構８の支持軸８３が挿入可能な複数の貫通孔４１ｈ（図４参照）が長手方向に配設されており、各貫通孔４１ｈに支持軸８３が挿入されるとともに、支持軸８３が見込面部４１ａから突出されて羽根板９の端部キャップの挿入孔部に挿入される。
【００３４】
なお、支持機構８の交換は、羽根板９を取り外した後、カバー材４０を取り外すことによって行うことができる。
【００３５】
見込面部４１ａの見込方向における両側の端部には、縦框３１に嵌着させるための嵌着片部４１ｂ，４１ｃが設けられている。本実施例では、見込面部４１ａと嵌着片部４１ｂ，４１ｃによって、略コ字状の枠部材が構成されており、嵌着片部４１ｂ，４１ｃにて縦框３１の見付面３１ｍ，３１ｎを挟み込むようにして、縦框３１に対してカバー材４０を容易に嵌着できることとなっている。
【００３６】
カバー材４０において、見込面部４１ａの見込方向の一端側には、ルーバー５を設置するためのルーバー開口部３６に向けて突出する遮蔽部４２が設けられている。本実施例では、見込面部４１ａにおいて嵌着片部４１ｂと反対の方向に突出する片部分を設けることで遮蔽部４２を見込面部４１ａと一体的に構成することとしている。
【００３７】
遮蔽部４２は、羽根板９と見込面部４１ａの間に形成される隙間４４を遮蔽して、隙間４４からの明かり漏れを防止するために設けられる。本実施例では、遮蔽部４２を板状の片部分にて構成し、羽根板９と遮蔽部４２との間で幅Ｗの重なり代を確保することにより、ルーバー５で仕切られる二つの空間３０Ａ，３０Ｂの間において、明かり漏れが生じることを防止するようにしている。
【００３８】
他方、カバー材４０において、見込面部４１ａの見込方向の他端側には、遮蔽部４２と同様の突出する部位は設けられておらず、見込面部４１ａと嵌着片部４１ｃによって、略Ｌ字の水平断面を形成する開放見切り部４３が形成されるようになっている。
【００３９】
このように、カバー材４０において開放見切り部４３が形成されることにより、空間３０Ａ側から作業をすることで、開放見切り部４３を通じて羽根板９を縦框３１から取り外すとともに、ルーバー開口部３６の外（空間３０Ａ側）へと容易に取り出すことが可能となる。なお、遮蔽部４２は空間３０Ｂ側に設けられているため、羽根板９の取り外しに際して遮蔽部４２が邪魔になることはない。
【００４０】
また、例えば、支持軸８３がバネ付勢された状態で突出される構成である場合には、支持軸８３を押し込むことで、支持軸８３を羽根板９から離脱させることで、羽根板９の取り出しが可能なものとなる。
【００４１】
また、羽根板９の設置の際にも、空間３０Ａ側からの作業において、開放見切り部４３を通じて羽根板９を縦框３１に差し込むことで、羽根板９を縦框３１に対して容易に設置することができる。なお、遮蔽部４２は空間３０Ｂ側に設けられているため、羽根板９の設置に際して遮蔽部４２が邪魔になることはない。
【００４２】
また、以上に説明したカバー材４０は、縦框３２の側にも同様に設置することができる。なお、縦框３２には略コ字状の縦溝部３２ａが形設されており、縦溝部３２ａに連動機構７が納められる。縦框３２の見込面３２ｂ、及び、連動機構７の見込面７ｂを上から覆うようにして、カバー材４０が設置される。
【００４３】
また、特に以上の実施形態において、縦框３１，３２が木材で構成される場合には、カバー材４０をアルミニウム押出成形部材などの金属部材で構成することで、縦框３１，３２の見付面３１ｍ，３１ｎ，３２ｍ，３２ｎの見切り部分が膨らむことや、ゆがんでしまう不具合が、嵌着片部４１ｂ，４１ｃによる見付面の挟み込みにより防がれる。
【００４４】
図５はカバー材４６の他の実施例について示す断面図である。この実施例では、縦框３１Ａが金属枠にて構成されており、カバー材４６を、縦框３１Ａの見込部分を塞ぐ見込面部材４７と、見込面部材４７と縦框３１Ａの間の隙間３１ｓに対して着脱可能な見付面部材４８，４９とを有して構成される。
【００４５】
縦框３１Ａには略コ字状の縦溝３１Ａａが形成されており、縦溝３１Ａａに支持機構８が収容される。そして、この縦溝３１Ａａと支持機構８の見込面８ｂを覆うように、見込面部材４７が取り付けられる。
【００４６】
見込面部材４７は、板面を構成する見込面４７ａと、縦框３１Ａの取付片部３１Ａｍに嵌着させるための取付片部４７ｂを有して構成される。
【００４７】
見付面部材４８は、縦框３１Ａの見付面３１Ａｍの見切り部分を覆う被覆部４８ａと、ルーバー５を設置するためのルーバー開口部３６に向けて突出する遮蔽部４８ｂと、見込面部材４７と縦框３１Ａの間の隙間３１ｓに嵌入される嵌入部４８ｃとを有して構成され、略Ｔ字状の断面を構成する長尺部材として構成される。
【００４８】
同様に、見付面部材４９は、縦框３１Ａの見付面３１Ａｎの見切り部分を覆う被覆部４９ａと、ルーバー５を設置するためのルーバー開口部３６に向けて突出する遮蔽部４９ｂと、見込面部材４７と縦框３１Ａの間の隙間３１ｓに嵌入される嵌入部４９ｃとを有して構成され、略Ｔ字状の断面を構成する長尺部材として構成される。
【００４９】
そして、見付面部材４８を取り外すことにより、見込面部材４７の見込み方向において見付面部材４８によって閉じられていた部位が開放されて開放見切り部４３Ａを構成することができる。
【００５０】
このように、カバー材４６において開放見切り部４３Ａが形成されることにより、空間３０Ｂ側から作業をすることで、開放見切り部４３Ａを通じて羽根板９を縦框３１Ａから取り外すとともに、ルーバー開口部３６の外（空間３０Ｂ側）へと容易に取り出すことが可能となる。なお、もう一方の見付面部材４９は空間３０Ａ側に設けられているため、羽根板９の取り外しに際して見付面部材４９が邪魔になることはない。もちろん、見付面部材４９を取り外して、空間３０Ａ側から作業をすることとしてもよい。
【００５１】
また、羽根板９の設置の際にも、空間３０Ｂ側からの作業において、開放見切り部４３Ａを通じて羽根板９を縦框３１Ａに差し込むことで、羽根板９を縦框３１Ａに対して容易に設置することができる。なお、もう一方の見付面部材４９は空間３０Ａ側に設けられているため、羽根板９の取り外しに際して見付面部材４９が邪魔になることはない。もちろん、見付面部材４９を取り外して、空間３０Ａ側から作業をすることとしてもよい。
【００５２】
以上のようにして本発明を実施することができる。
即ち、図３及び図４に示すごとく、
羽根板９を回動可能に支持するルーバー枠としての縦框３１に設けられる長尺のカバー材４０を設けたルーバーであって、
ルーバー枠の見込面３１ｂを覆うための見込面部４１ａと、
見込面部４１ａの見込方向の一方の端部に配置される遮蔽部４２と、
見込面部４１ａの見込方向の他方の端部に配置される開放見切り部４３と、
を有し、
遮蔽部４２と羽根板９は、羽根板９の長手方向において、重なり代を有し、
開放見切り部４３と羽根板９は、羽根板９の長手方向において、重なり代を有さない、
こととする、ルーバーとする。
【００５３】
これにより、遮蔽部４２により、ルーバー５で仕切られる二つの空間３０Ａ，３０Ｂの間において、ルーバー枠と羽根板９の間の隙間４４からの明かり漏れを防止できる。また、開放見切り部４３を通じて羽根板９の取り外し、設置を容易に行うことができる。
【００５４】
なお、上框（上桟３３）や中桟３５や下桟３４と、これらの横方向部材とそれぞれ隣合う位置に配置される羽根板９との間の明かり漏れ体策については、これらの横方向部材の上下方向の端部に突起部を設け、突起部と羽根板９との間に重なり代を設けることで対応することなどが考えられる。
【００５５】
また、カバー材４０は、図１の構成に示されるように、ルーバー１，１をそれぞれ収容するルーバー開口部３６，３７を跨ぐように上下方向に連続する一本の形態とするほか、ルーバー開口部３６，３７の上下寸法に対応する長さのものを、各ルーバー開口部３６，３７について設けることとしてもよい。
【００５６】
また、好ましくは、図３に示すごとく、見込面部４１ａの両端部には、ルーバー枠の見付面３１ｍ，３１ｎを両側から挟みこんで、ルーバー枠に嵌着させるための嵌着片部４１ｂ，４１ｃが設けられる、こととする。
【００５７】
これにより、ルーバー枠に対してカバー材４０を容易に取り付けることができる。また、特に、ルーバー枠（縦框３１）が木材で構成される場合には、カバー材４０をアルミニウム押出成形部材などの金属部材で構成することで、縦框３１，３２の見付面３１ｍ，３１ｎ，３２ｍ，３２ｎの見切り部分が膨らむことや、ゆがんでしまう不具合が、嵌着片部４１ｂ，４１ｃによる見付面の挟み込みにより防がれる。
【００５８】
また、好ましくは、図３に示すごとく、羽根板９が閉じたときと開いたとき（想像線９Ａ）のいずれにおいても、カバー材４０と羽根板９の間には隙間が確保され、カバー材４０によって羽根板９の回動が規制されない構成とする。より具体的には、羽根板９を開いた際に、カバー材４０の遮蔽部４２と羽根板９の間に隙間４２ｓ，４２ｓが確保されることが好ましい。
【００５９】
これにより、カバー材４０によって羽根板９の回動が規制されず（干渉しない（ぶつからない））、カバー材４０の設置によりルーバーの操作性が損なわれることを防ぐことができる。
【００６０】
また、一つの実施形態として、図５に示すカバー材４６のごとく、遮蔽部４８ｂを有する見付面部材４９がルーバー枠に対して着脱可能に設けられることとする。
【００６１】
これにより、羽根板９の設置、或いは、取り外しの際には、見付面部材４８によって閉じられていた部位を開放して開放見切り部４３Ａを構成することができ、開放見切り部４３Ａを通じた羽根板９の設置、或いは、取り外しが可能となる。
【００６２】
また、一つの実施形態として、図５に示すカバー材４６のごとく、遮蔽部４８ｂ，４９ｂを有する見付面部材４８，４９は、戸体３（ルーバー）の表側の見付面３１Ａｎ，裏側の見付面３１Ａｍのいずれか一方、或いは、両方に着脱可能に設けられることとする。
【００６３】
これにより、明かり漏れの状況に応じて、戸体３（ルーバー）の片側、或いは、両側に見付面部材４８，４９を設置することが可能となる。例えば、明かり漏れを確実に防止したい場合には、両側に見付面部材４８，４９を設置することにより、より効果的に明かり漏れを防ぐといったことが可能となる。
【００６４】
なお、図６（Ａ）に示すように、戸体３Ａに上下方向に複数（二つ）のルーバー１Ａ，１Ｂが備えられる構成において、着脱可能な見付面部材４８を戸体３Ａの下端から上端にわたる一本の長尺の部材にて構成する（一本通しの構成）ことによれば、複数のルーバー１Ａ，１Ｂが存在する場合であっても、上下方向において連続性を呈する意匠が構成され、一体感をかもし出すことができる（例えば、一枚の戸体３Ａとしてのまとまり感）。
【００６５】
さらには、図６（Ｂ）に示すように、戸体３Ｂに上下方向に複数（二つ）のルーバー１Ａ，１Ｂが備えられる構成において、それぞれのルーバー１Ａ，１Ｂについて個別に着脱可能な見付面部材４８Ａ，４８Ｂを設ける（分割構成）こととしてもよい。この構成によれば、羽根板９の交換の際には、必要な箇所の見付面部材４８Ａ，４８Ｂを取り外すことで作業が可能となり、作業性が良好なものとなる。
【００６６】
なお、以上の実施形態では、羽根板９の長手方向が横方向となるように配置されるルーバーについて説明したが、羽根板９の長手方向が縦方向となるように配置されるルーバーの形態についても、本発明を適用することができる。
【産業上の利用可能性】
【００６７】
本発明は、空間を仕切る引戸や開き戸といった戸体や、いわゆる嵌め殺しの建具や、開口部など、室内外を問わず、あらゆる場所に設置されるルーバーについて適用可能である。
【符号の説明】
【００６８】
１    ルーバー
３    戸体
５    ルーバー
７    連動機構
８    支持機構
９    羽根板
３０Ａ    空間
３０Ｂ    空間
３１    縦框
３１ｍ    見付面
３１ｎ    見付面
３１ｓ    隙間
３２    縦框
３６    ルーバー開口部
４０    カバー材
４１ａ    見込面部
４１ｂ    嵌着片部
４１ｃ    嵌着片部
４１ｈ    貫通孔
４２    遮蔽部
４２ｓ    隙間 
４３    開放見切り部
４４    隙間
【図１】
0005995474.tif 000002
【図２】
0005995474.tif 000003
【図３】
0005995474.tif 000004
【図４】
0005995474.tif 000005
【図５】
0005995474.tif 000006
【図６】
0005995474.tif 000007